(57)【要約】  本発明は、１つのばね（６）と、２つのばね受け（５，７）とを備えた、防音エレメントに用いられるばね支持された点状の懸架機構に関する。第１のばね受け（７）は懸架装置（８）に固定されている。ばね（６）は第１のばね受け（７）にねじ被せられている。第２のばね受けはクランプディスク（２，４）によって防音エレメント（３）の孔内に固定されていて、ピッチ約３つ分のばね（６）が残されるまで、このばね内にねじ込まれる。
2007522365.tif 000002
【特許請求の範囲】
【請求項１】
防音エレメントに用いられるばね支持された懸架機構において、当該懸架機構が、
−１つのばね（６）と、
−２つのばね受け（５，７）と
を有しており、一方のばね受け（７）が、懸架装置（８）に固定されており、ばね（６）が、第１のばね受け（７）にねじ被せられており、第２のばね受け（５）が、クランプディス（２，４）によって防音エレメント（３）の孔内に固定されていて、ピッチ約３つ分のばね（６）が残されるまで、該ばね（６）内にねじ込まれるようになっていることを特徴とする、防音エレメントに用いられるばね支持された懸架機構。
【請求項２】
ばね（６）の剛性が、１５０００Ｎ／ｍ〜２５０００Ｎ／ｍの間にある、請求項１記載の装置。
【請求項３】
自体公知の支持構造体の自体公知の基台と、懸架機構とから成る防音壁において、
防音エレメントが、請求項１記載のばね支持された懸架機構によって取り付けられていることを特徴とする、防音壁。
【発明の詳細な説明】
【技術分野】
【０００１】
序論
本発明は、防音エレメントに用いられる懸架装置に関する。防音エレメントは懸架装置によって支持構造体に取り付けられ、この支持構造体および場合により基台と一緒に防音壁を形成する。
【０００２】
防音エレメントは、たとえば強化安全ガラス（ＥＳＧ）、合わせ安全ガラス（ＶＳＧ）、プラスチック、たとえばポリ塩化ビニル（ＰＶＣ）または再利用されるＰＶＣ、複合材料、たとえばアルミニウムとＰＶＣとから成るラミネートから成っていてよい。
【０００３】
防音エレメントは吸音性にまたは音反射性に設計されていてよい。この目的のためには、防音エレメントが吸音性の材料で充填されていてもよい。防音エレメントは透明に形成されていてもよいし、半透明に形成されていてもよいし、不透明に形成されていてもよい。
【０００４】
透明な防音エレメントは、たとえば鋳造されたアクリルガラスまたは押出し成形されたアクリルガラスから成っていてよい。このアクリルガラスは、着色されていてもよいし、鳥の飛翔に対するマーキングを備えていてもよいし、補強エレメントを備えていてもよい。
【０００５】
さらに、防音エレメントのための材料として、透明、不透光または不透明な適切なあらゆるプラスチック、たとえばポリメチル（メタ）アクリレートのほかにポリカーボネート（ＰＣ）またはポリエチレンテレフタレート（ＰＥＴ）も使用されてよい。
【０００６】
アクリルガラスから成る防音エレメントは、「Ｒｏｅｈｍ  ＧｍｂＨ＆Ｃｏ．ＫＧ」からプレキシグラス（登録商標）サウンドストップの名称で市販される。
【０００７】
アクリルガラスプレートから成る透明な防音エレメントに用いられるフレームレスの懸架機構の要求がますます頻繁に生ぜしめられる。結果的に点状懸架機構と呼ばれるこの懸架機構は新規の構成可能性を提供すると同時に、静的、動的かつ機能的な多数の役割を果たす。これらの役割の多くは、たとえばガラス取付け時に使用されるような従来の点状懸架機構によって果たされない。
【０００８】
背景技術
現在、プレートエレメントに用いられる点状の取付け手段は市場で入手可能である。この取付け手段はそれぞれ２つのジョイントから形成されている。これは、回動ジョイントまたはボールジョイントであってよい。一方のジョイントの自由度は、それぞれ隣接ジョイントの負荷方向にある。これによって、常にジョイントの一部しか、規定された方向で負荷を吸収することができない状況が生ぜしめられる。したがって、プレートエレメントと下部構造体との非対称的な負荷が得られる。点状懸架機構は、この静的なかつ動的な負荷に耐えるように寸法設定されなければならない。これは、構成部材が過度に大きいことを意味している。このことは実際には許容することができないので、従来、主重力は線状の支持体を介して導出された。
【０００９】
剛性的な取付け手段は、プレートエレメントのエレガントで廉価な取付け手段を成している。しかし、この取付け手段は、極めて小さな使用事例および僅かな温度変動、すなわち、空気調整された室内でしか使用することができない。最大の問題は、フックの法則（フックの法則σ＝Ｅ・ε）に基づき、しばしば許容できない応力をプレートエレメントまたは下部構造体に生ぜしめる熱膨張である。
【００１０】
透明な防音壁の開発時には、フレームレスの懸架機構への傾向を認めることができる。この建築上の設計は、ほぼ専ら防音エレメントの点状の取付けを要求する。
【００１１】
防音エレメントに用いられる点状の取付け手段は、たとえばドイツ連邦共和国特許出願公開第０９０８５６３号明細書に記載されている。プラスチックから成る少なくとも１つの防音プレート（ＬＳプレート）を備えた防音壁セグメント（ＬＳセグメント）は、プレートを支持体に取り付けるための少なくとも１つの手段を備えている。プレートがジョイント式に点状に支承されており、これによって、プレートの、負荷下で生ぜしめられる弾性曲線が取付け手段によって随伴可能となることが特徴付けられている。
【００１２】
有利には、取付け手段は、一方の端部で支持体にアンカ固定可能なピンを有している。このピンはその他方の端部で、プレートに設けられた切欠きと、プレート外面の両側に密着した状態でこのプレート外面に配置された少なくともそれぞれ１つのディスクエレメントとを貫通している。この場合、切欠き内には、弾性的なばねエレメントが配置されている。このばねエレメントの高さは、取り付けたいプレートの厚さよりも大きい。この場合、ピンはディスクエレメントにボールで支承されている。
【００１３】
ドイツ連邦共和国実用新案第８５２４３１９．１号明細書もしくはヨーロッパ特許出願公開第０２１３５２１号明細書に基づき、透明なプラスチックから成る大面状のディスクを、冒頭で述べた支持体にほぼ相当する鉛直な支柱の間に有する防音壁を建設するためのガラス化プロセスが公知になっている。二重Ｔ字形支持体の代わりに、このシステムでは、四角形管が使用されてもよい。この四角形管はその寸法に関して二重Ｔ字形支持体に相当している。個々のプレートは互いに間隔を置いて、四角形管の側面の１つに載着され、クランプレールと適宜な数のねじとによって、個々のプレートの間の空所を通して四角形管に対して緊締される。構造は十分に耐風性であるものの、このために、比較的広幅の四角形管を要求する。
【００１４】
これに対して補助的に、たとえばヨーロッパ特許出願公開第０５３０５１２号明細書が提供される。当該明細書には、プレートシステムが開示される。このプレートシステムでは、プラスチックプレートが間隔を置いて突き合わされてまたはほぼ支持体載着面の外部でオーバラップして敷設されておらず、互いに部分的にオーバラップして、オーバラップ部と支持体に対する載着面とを通して支持体にアンカ固定されている。これによって、必要となる支持体幅を、安定性を損なうことなしに、ほぼ二等分することができる。このことは、支持体が細く、もはや従来のように不格好に作用しないので、特に壁システムに対してかつ特に透明な防音壁の場合には視覚的に好ましい印象を与えるにもかかわらず、ヨーロッパ特許出願公開第０５３０５１２号明細書に基づき公知の技術には、相変わらず、約２メートルの比較的僅かな支柱間隔と、最大３メートルの全高さを超えるプレートのガイドとが必要となる。
【００１５】
課題
アクリルガラスプレートから成る防音エレメントに用いられる別のフレームレスの懸架機構と、別の防音エレメントとを開発するという課題がある。別の課題は、あらゆる方向からの力を取付け装置を介して支持構造体に導入することが可能となる、アクリルガラスから成る防音エレメントに用いられる取付け装置を開発することにある。また、取付け手段が、熱的な長さ変化を吸収することができることが望ましい。
【００１６】
さらに、取付け装置が簡単にかつ安価に製作されると共に組み付けられることが望ましい。
【００１７】
動的な負荷交番（風負荷）時に不安定振動現象が生ぜしめられることを回避するために、防音エレメントと、懸架装置または取付け装置と、支持構造体とから成るシステムの固有周波数が０．５Ｈｚを上回ることが望ましい。
【００１８】
主要求は、あらゆる方向での負荷の吸収である。この場合、全ての負荷吸収点への均一な配分が生ぜしめられることが望ましい。これに基づき、取付け点の高いフレキシビリティの必要性が求められる。
【００１９】
さらに、表面に専ら取付け点を視覚的に認めることができることが望ましい。たとえば鋼ロープによる付加的な拘束位置固定手段は、たいてい、望ましくない視覚的な妨害を成している。
【００２０】
解決手段
本発明による課題は、請求項１記載の装置によって解決される。
【００２１】
装置は、たとえばねじ山を備えたばね受け（図１、符号５，７参照）にねじ被せられるコイルばね（６）から成る、アクリルガラス製の防音エレメントに用いられるばね支持された懸架機構を有している。
【００２２】
これによって、コイルばね（図１、符号６参照）が移動不能に位置決めされていて、外的作用による防音エレメントの破断の事例において、小さな部材が高い運動エネルギを備えてコントロールされずに飛散しないことが達成される。さらに、この効果は、視覚的に煩わしい鋼ロープの形の別個の拘束位置固定手段が不要になるという結果をもたらす。
【００２３】
防音エレメントに用いられるばね支持された懸架機構の別のエレメントは、支持構造体に固定される支持体（図１、符号８参照）である。この支持体は横桁とも呼ぶことができ、静的に必要となる数で、算出された間隔を置いて支持構造体に配置される。
【００２４】
ねじ（９）によって、ばね受け（７）の第１の部分が懸架装置（８）に固定される。ばね受け（７）の第１の部分は慣用のあらゆる固定技術、たとえば溶接、リベット締め、螺合、緊締または接着によって懸架装置に固定することができる。
【００２５】
ばね受け（７および５参照）は２つの部分から成っていて、ばね（６）の約３〜５つの巻条が残されるように寸法設定されている。コイルばねの自由な巻条は防音エレメントの弾性的な懸架のために働く。
【００２６】
ばね受け（７，５）はその外面に溝を有している。この溝内には、ばねが形状接続的にかつ摩擦接続的に係合している。
【００２７】
ばね受け（７，５）は、たとえば鋼、ガラス繊維強化されたプラスチックまたはプラスチックから製造されている。
【００２８】
ばね（６）は、たとえば鋼線材から成っている。さらに、ばねはプラスチック、たとえばポリプロピレンまたはポリエチレン、ゴム、木材、アルミニウム、特殊鋼または鉱物含有の材料、金属合金、たとえば黄銅、青銅または鋳鉄から製造されていてよい。
【００２９】
ばねは、前述した適切な材料から成る棒ばねとして形成されていてもよい。
【００３０】
長手方向でのばねの剛性は、たとえば約１００００Ｎ／ｍ〜２５０００Ｎ／ｍにある。横方向でのばねの剛性は、たとえば５００００Ｎ／ｍ〜１００００Ｎ／ｍにある。さらに、ばねエレメントは、フックの法則による線形の特性線を有しておらず、累進的な特性線を有しているように形成されてもよい。このことは、コイルばねの場合、円錐形の巻条または可変のピッチによって達成される。
【００３１】
本発明による懸架機構は、前述した材料から成るファサードエレメントとライニングとを取り付けるために使用されてもよい。
【００３２】
室内における取付けエレメントの位置は機能に影響を与えない：天井取付けならびに床取付けまたは水平な取付けも可能である。真っ直ぐなエレメントだけでなく、曲げられたエレメントも取り付けることができる。
【００３３】
例１
アクリルガラスから成る防音エレメントの、ばね支持された懸架機構の破壊応力。
【００３４】
２０００×２０００×１５ｍｍ（長さ×幅×厚さ）の寸法を備えたプレキシグラス（登録商標）サウンドストップのタイプのアクリルガラスプレートが、ＥＮ１７９４−２（２００３年４月）による揺動破断試験にさらされた。
【００３５】
全エレメント（防音エレメントおよび本発明による懸架機構）が検査された。ばねは１９０００Ｎ／ｍの剛性を有していた。
【００３６】
防音エレメントに設けられた孔直径（固定孔）は６５ｍｍの直径を有していた。プレート外面には、固定孔が付加的にさらに、８０ｍｍの直径と３ｍｍの深さとを備えた旋削加工部を備えていた。
【００３７】
結果
懸架点のいずれもアクリルガラスプレートから解離されなかった。このアクリルガラスプレートにおける懸架点の孔から、破断線は出発しなかった。
【００３８】
ばねは、破断または亀裂が生ぜしめられることなしに、塑性変形させられた。ばねの塑性変形は、供給された打撃エネルギの減少に著しく貢献した。
【００３９】
２つの部分から成るばね受け（図１、符号５，７参照）は決してばねから解離されなかった。
【００４０】
評価
本発明による懸架機構は、破断に通じたアクリルガラスプレートのための拘束位置固定手段として適している。
【図面の簡単な説明】
【００４１】
【図１】防音エレメントおよび本発明による懸架機構を分解して示す図である。
【符号の説明】
【００４２】
１  ねじ、  ２  クランプディスク、  ３  防音エレメント、  ４  クランプディスク、  ５  ばね受け、  ６  ばね、  ７  ばね受け、  ８  懸架装置、  ９  ねじ
【図１】
2007522365.tif 000003
【国際調査報告】
2007522365.tif 000004
2007522365.tif 000005
2007522365.tif 000006
2007522365.tif 000007
2007522365.tif 000008
2007522365.tif 000009